(57)【要約】    本発明は、電気機器の稼動状態を表示する新たな技術を提供することを課題とする。当該課題を解決するため、本発明では、電気機器に関する属性情報に基づいてグループを作成し、複数の上記電気機器の消費電流または消費電力の時系列データをグループごとに表示する手段を有する情報出力装置を提供する。
2017038364.tif 000002
【特許請求の範囲】
【請求項１】
電気機器に関する属性情報に基づいてグループを作成し、複数の前記電気機器の消費電流または消費電力の時系列データを前記グループごとに表示する手段を有する情報出力装置。
【請求項２】
請求項１に記載の情報出力装置において、
複数の前記電気機器各々の消費電流又は消費電力の時系列データを取得するデータ取得手段と、
複数の前記電気機器各々に１種類又は複数種類の属性情報を対応付けた電気機器属性情報に基づいて前記電気機器のグループを作成するグループ化手段と、
前記グループ毎に、前記時系列データを集計する集計手段と、
前記グループ毎に、前記集計手段による集計結果を表示させる出力手段と、
を有する情報出力装置。
【請求項３】
請求項２に記載の情報出力装置において、
前記グループ化手段は、所定種類の前記属性情報が一致する前記電気機器どうしをまとめてグループを作成し、
前記出力手段は、複数の前記グループ各々の前記集計結果を一度に表示させる情報出力装置。
【請求項４】
請求項２又は３に記載の情報出力装置において、
前記電気機器属性情報は、前記属性情報として、前記電気機器各々の機器カテゴリを含む情報出力装置。
【請求項５】
請求項４に記載の情報出力装置において、
前記電気機器属性情報は、さらに、管理者、設置エリア、メーカー、価格帯、設置年、発売年、機器の型番、機器の個体識別番号、定格電力、消費電力の瞬時波形、消費電流の瞬時波形、電力値の時系列変動データ、及び、電流値の時系列変動データの中の少なくとも１つを含む情報出力装置。
【請求項６】
請求項２から５のいずれか１項に記載の情報出力装置において、
前記グループ化手段は、第１の種類の前記属性情報に基づき複数の親グループを作成した後、第２の種類の前記属性情報に基づき前記親グループ毎に複数の子グループを作成し、
前記集計手段は、前記子グループ毎に、前記時系列データを集計し、
前記出力手段は、前記子グループ毎に、前記集計結果を表示させる情報出力装置。
【請求項７】
請求項２から６のいずれか１項に記載の情報出力装置において、
前記電気機器をグループ化するルールを指定するユーザ入力を受付ける入力受付手段をさらに有し、
前記グループ化手段は、前記ユーザ入力で指定された前記ルールに従い、前記グループを作成する情報出力装置。
【請求項８】
請求項２から７のいずれか１項に記載の情報出力装置において、
複数の前記電気機器各々の前記時系列データは、複数のセンサを用いて測定されたデータである情報出力装置。
【請求項９】
請求項２から８のいずれか１項に記載の情報出力装置において、
前記電気機器属性情報を保持する保持手段と、
前記電気機器を識別するための識別情報を外部サーバに送信し、送信した前記識別情報に対応する前記属性情報を前記外部サーバから取得し、取得した前記属性情報に基づき前記電気機器属性情報を更新する更新手段と、
を有する情報出力装置。
【請求項１０】
電気機器に関する属性情報の入力を受付ける入力受付手段と、
前記属性情報に基づいてグループ化された前記電気機器の消費電流または消費電力の時系列データを前記グループごとに表示する出力手段と、
を有する情報出力装置。
【請求項１１】
請求項１０に記載の情報出力装置において、
前記入力受付手段は、前記属性情報に基づいて作成された親グループに対応する第２の属性情報の入力を受付け、
前記出力手段は、前記第２の属性情報に基づいてグループ化された複数の子グループ毎に消費電流または消費電力の時系列データを表示する情報出力装置。
【請求項１２】
コンピュータが、
電気機器に関する属性情報に基づいてグループを作成し、複数の前記電気機器の消費電流または消費電力の時系列データを前記グループごとに表示する工程を実行する情報出力方法。
【請求項１３】
コンピュータを、
電気機器に関する属性情報に基づいてグループを作成し、複数の前記電気機器の消費電流または消費電力の時系列データを前記グループごとに表示する手段として機能させるプログラム。
【請求項１４】
コンピュータが、
電気機器に関する属性情報の入力を受付ける入力受付工程と、
前記属性情報に基づいてグループ化された前記電気機器の消費電流または消費電力の時系列データを前記グループごとに表示する出力工程と、
を実行する情報出力方法。
【請求項１５】
コンピュータを、
電気機器に関する属性情報の入力を受付ける入力受付手段、
前記属性情報に基づいてグループ化された前記電気機器の消費電流または消費電力の時系列データを前記グループごとに表示する出力手段、
として機能させるプログラム。
【発明の詳細な説明】
【技術分野】
【０００１】
本発明は、情報出力装置、情報出力方法、及び、プログラムに関する。
【背景技術】
【０００２】
複数の電気機器の稼働状態（電源状態や消費電力等）を把握する試みがなされている。ユーザが電気機器の稼動状態を把握することで、省エネなどの効果が期待される。【０００３】
特許文献１には、給電線引込口付近に設置した測定センサで検出した測定データから特徴量を取り出し、当該特徴量に基づき、複数の電気機器各々の稼働状態を推定する技術が開示されている。【０００４】
特許文献２には、室外機及び複数の室内機を含む空調機器群、照明器具群、及び、ＰＣ（Personal Computer）群各々の消費電力を作動状況に基づいて推定し、電力計で測定された消費電力を、推定した上記各機器群の消費電力の比で按分することで、空調機器群、照明器具群、及び、ＰＣ群各々の消費電力を求め、表示する技術が開示されている。
【先行技術文献】
【特許文献】
【０００５】
【特許文献１】特許第３４０３３６８号
【特許文献２】特開２０１４−１２０１０８号
【発明の概要】
【発明が解決しようとする課題】
【０００６】
本発明者らは、電気機器の稼動状態をユーザに向けて表示する技術を検討した結果、以下のような新たな課題を見出した。【０００７】
特許文献１及び２は、各電気機器又は各電気機器群の消費電力などの稼働状態を推定し、推定した単位毎（電気機器毎又は電気機器群毎）に推定結果を表示するものであるため、推定等する電気機器や電気機器群の数が膨大になると、その分だけ情報量が膨大となり全体を把握し難くなるという問題があった。本発明は、上記課題を解決する新たな技術を提供することを目的とする。
【課題を解決するための手段】
【０００８】
本発明によれば、
電気機器に関する属性情報に基づいてグループを作成し、複数の前記電気機器の消費電流または消費電力の時系列データを前記グループごとに表示する手段を有する情報出力装置が提供される。【０００９】
また、本発明によれば、
電気機器に関する属性情報の入力を受付ける入力受付手段と、
前記属性情報に基づいてグループ化された前記電気機器の消費電流または消費電力の時系列データを前記グループごとに表示する出力手段と、
を有する情報出力装置が提供される。【００１０】
また、本発明によれば、
コンピュータが、
電気機器に関する属性情報に基づいてグループを作成し、複数の前記電気機器の消費電流または消費電力の時系列データを前記グループごとに表示する工程を実行する情報出力方法が提供される。【００１１】
また、本発明によれば、
コンピュータを、
電気機器に関する属性情報に基づいてグループを作成し、複数の前記電気機器の消費電流または消費電力の時系列データを前記グループごとに表示する手段として機能させるプログラムが提供される。【００１２】
また、本発明によれば、
コンピュータが、
電気機器に関する属性情報の入力を受付ける入力受付工程と、
前記属性情報に基づいてグループ化された前記電気機器の消費電流または消費電力の時系列データを前記グループごとに表示する出力工程と、
を実行する情報出力方法が提供される。【００１３】
また、本発明によれば、
コンピュータを、
電気機器に関する属性情報の入力を受付ける入力受付手段、
前記属性情報に基づいてグループ化された前記電気機器の消費電流または消費電力の時系列データを前記グループごとに表示する出力手段、
として機能させるプログラムが提供される。
【発明の効果】
【００１４】
本発明によれば、電気機器の稼動状態を表示する新たな技術が実現される。
【図面の簡単な説明】
【００１５】
上述した目的、およびその他の目的、特徴および利点は、以下に述べる好適な実施の形態、およびそれに付随する以下の図面によってさらに明らかになる。【００１６】
【図１】本実施形態の装置のハードウエア構成の一例を概念的に示す図である。
【図２】本実施形態の情報出力装置の機能ブロック図の一例である。
【図３】本実施形態の機器毎時系列データの一例を模式的に示す図である。
【図４】本実施形態の電気機器属性情報の一例を模式的に示す図である。
【図５】本実施形態の情報出力装置により表示される情報の一例を模式的に示す図である。
【図６】本実施形態の情報出力装置により表示される情報の一例を模式的に示す図である。
【図７】本実施形態の情報出力装置の機能ブロック図の一例である。
【図８】本実施形態の情報出力装置の機能ブロック図の一例である。
【図９】本実施形態の機器毎時系列データを得るために用いることができる情報の一例を模式的に示す図である。
【図１０】本実施形態の機器毎時系列データを得るために用いることができる情報の一例を模式的に示す図である。
【図１１】本実施形態の情報出力装置の適用例を説明するための図である。
【発明を実施するための形態】
【００１７】
まず、本実施形態の装置（情報出力装置）のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インタフェイスを中心にハードウエアとソフトウエアの任意の組合せによって実現される。そして、その実現方法、装置にはいろいろな変形例があることは、当業者には理解されるところである。
【００１８】
図１は、本実施形態の装置（情報出力装置）のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、通信部８Ａ、補助記憶装置９Ａ等を有する。なお、本実施形態の装置は、さらに、表示制御部４Ａ、ディスプレイ５Ａ、操作受付部６Ａ、操作部７Ａ等を有してもよい。また、図示しないが、本実施形態の装置は、その他、マイク、スピーカ等の他の要素を備えてもよい。また、図示する要素の一部を有さなくてもよい。
【００１９】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disk Drive）であり、大容量のデータを記憶可能である。
【００２０】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／または無線で、インターネット、ＬＡＮ（Local Area Network）等のネットワークに接続し、他の電子機器と通信する。また、通信部８Ａは、有線及び／または無線で他の電子機器と直接つながり、通信を行うことができる。
【００２１】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２２】
＜第１の実施形態＞
まず、本実施形態の情報出力装置の概要について説明する。情報出力装置は、複数の電気機器各々の稼働状態を示す情報（消費電流又は消費電力の時系列データ）を取得すると、それらを所定の手法で集計し、集計結果を出力する。
【００２３】
具体的には、情報出力装置は、監視対象の電気機器を、所定種類の属性情報が一致するものどうしでまとめてグループを作成する。そして、情報出力装置は、グループ毎に、各グループに属する電気機器の消費電流又は消費電力の時系列データを集計し、集計結果を出力する。
【００２４】
本実施形態の場合、複数の電気機器各々の稼働状態を示す情報がそのまま表示されるのでなく、これらをグループ毎に集計した集計結果が表示される。このため、表示される情報の量を少なくすることができる。
【００２５】
次に、本実施形態の情報出力装置の構成について詳細に説明する。図２は、本実施形態の情報出力装置１０の機能ブロック図の一例である。図示するように、情報出力装置１０は、データ取得部１１と、グループ化部１２と、集計部１３と、出力部１４とを有する。
【００２６】
データ取得部１１は、複数の電気機器各々の消費電流又は消費電力の時系列データ（以下、「機器毎の時系列データ」という場合がある）を取得する。
【００２７】
情報出力装置１０には、予め、複数の監視対象の電気機器が登録されている。そして、データ取得部１１は、複数の監視対象の電気機器各々の機器毎の時系列データを取得する。
【００２８】
図３に、データ取得部１１が取得する機器毎の時系列データの一例を模式的に示す。図示する機器毎の時系列データは、通番「０００１」で特定される電気機器の消費電力の時系列データである。当該機器毎の時系列データは、２０１５年７月７日の０時００分００秒から３０秒毎の消費電力の積算値（Ｗｈ）を示している。なお、機器毎の時系列データは、１分毎の積算値、１５分毎の積算値、３０分毎の積算値であってもよいし、その他であってもよい。
【００２９】
グループ化部１２は、複数の監視対象の電気機器各々に１種類又は複数種類の属性情報を対応付けた電気機器属性情報に基づき、所定種類の属性情報が一致する電気機器どうしをまとめてグループを作成する。
【００３０】
属性情報は、電気機器各々の機器カテゴリ（例：エアコン、テレビ、冷蔵庫等）を含むことができる。属性情報は、その他、管理者（例：Ｘさん、Ｙさん、○○部、○○課、父、母等）、設置エリア（例：１階１０２号室、３階３０１号室、寝室、リビング等）、メーカー（例：Ａ社、Ｂ社等）、価格帯（例：２５〜５０万円、５０〜１００万円）、設置年（例：２０１５年、２０１４年等）、発売年（例：２０１０年、２０１１年等）、機器の型番、機器の個体識別番号、定格電力、消費電力の瞬時波形、消費電流の瞬時波形、電力値の時系列変動データ、及び、電流値の時系列変動データの中の少なくとも１つを含んでもよい。なお、ここでの例示はあくまで一例であり、その他の属性情報を含んでもよい。
【００３１】
図４に、電気機器属性情報の一例を模式的に示す。図示する例では、監視対象の電気機器各々を識別するための通番、各々の型番、及び、属性情報が対応付けられている。そして、属性情報として、機器カテゴリ、各電気機器の管理者、設置エリア、メーカー、価格帯、設置年発売年を例示している。
【００３２】
グループ化部１２は、例えば、機器カテゴリが一致する電気機器どうしをまとめてグループを作成してもよい。その他、グループ化部１２は、管理者が一致する電気機器どうしをまとめてグループを作成してもよい。その他、グループ化部１２は、設置エリアが一致する電気機器どうしをまとめてグループを作成してもよい。その他、グループ化部１２は、メーカーが一致する電気機器どうしをまとめてグループを作成してもよい。
【００３３】
その他、グループ化部１２は、価格帯が一致する電気機器どうしをまとめてグループを作成してもよい。その他、グループ化部１２は、設置年が一致する電気機器どうしをまとめてグループを作成してもよい。その他、グループ化部１２は、発売年が一致する電気機器どうしをまとめてグループを作成してもよい。
【００３４】
図２に戻り、集計部１３は、グループ化部１２が作成したグループ毎に、各グループに属する１つ又は複数の電気機器の機器毎時系列データを集計する。
【００３５】
集計は、所定の時間帯毎に行うことができる。例えば、所定の時間帯（例：２０１５年７月７日０時００分００秒から３０秒毎の時間帯）毎に、値（例：消費電力又は消費電流の積算値）の統計値（例：合計値、平均値、最大値、最小値、最頻値、中央値等）を算出してもよい。この場合、所定の時間帯毎の統計値からなる時系列データが得られる。以下、集計後のグループ毎の時系列データを、「グループ毎時系列データ」という場合がある。
【００３６】
出力部１４は、グループ毎に、集計部１３による集計結果（グループ毎時系列データ）を表示させる。出力部１４は、複数のグループ各々の集計結果を一度に表示させてもよいし、これらを分けて表示させてもよい。
【００３７】
出力部１４は、集計結果を外部装置に向けて出力し、外部装置が備えるディスプレイに表示させてもよい。その他、出力部１４は、情報出力装置１０が備えるディスプレイ又は情報出力装置１０と繋がったディスプレイに、集計結果を表示させてもよい。
【００３８】
図５に、出力部１４が表示させた集計結果の一例を模式的に示す。図５の例では、縦軸に消費電力をとり、横軸に時間をとり、消費電力の時間変化を積み上げグラフで表示している。
【００３９】
図示する例は、複数の電気機器を機器カテゴリ（属性情報）に基づきグループ化し、複数のグループ各々の集計結果（合計値の時系列データ）を積み上げグラフで一度に表示している。
【００４０】
以上説明した本実施形態の情報出力装置１０によれば、取得した機器毎時系列データ（電気機器各々の消費電流又は消費電力の時系列データ）をそのまま機器毎に分けて表示させるのでなく、電気機器を所定のルールに基づきグループ化し、グループ毎の集計結果を表示させることができる。結果、表示される情報量が少なくなり、ユーザが状態を把握し易くなる。
【００４１】
ところで、電気機器の稼動状態を表示する手法としては、電気機器の稼働状態を推定等（各電気機器の消費電力等の推定及び測定を含む）すると、その結果をそのまま表示するものが考えられる。すなわち、特許文献１及び２のように、各電気機器又は各電気機器群の消費電力などの稼働状態を推定すると、推定した単位毎（電気機器毎又は電気機器群毎）に推定結果を表示する。
【００４２】
１つの家庭などのように使用する電気機器の数が限られる場合、上述した表示方法でも充分になり得る。しかし、ビル全体やマンション全体、コミュニティ全体などのように、推定等する電気機器の数が膨大になると、上述した表示方法の場合、表示される情報量が膨大となり、全体の状態を把握し難くなる。
【００４３】
また、上述した表示方法の場合、同じ種類の電気機器であっても、型番や年式によって異なる電気機器として推定結果が表示される。そのため、表示される情報量が膨大となり、全体の状態を把握し難くなる。つまり、電気機器の数が膨大になっている際に、１つの時系列グラフに複数の電気機器の稼動状態（例：消費電流又は消費電力の時間変化）について各々を識別可能に一度に表示したりすると、情報量が多くなり全体の状態を把握し難くなる。なお家庭だけでなくビル全体やマンション全体、コミュニティ全体などのように、推定等する電気機器の数が膨大になるとさらに情報が膨大になる。
【００４４】
＜第２の実施形態＞
第１の実施形態では、図５を用いて、複数のグループ各々の集計結果を一度に表示させる例を示した。本実施形態では、複数のグループ各々の集計結果を個別に表示させる例を示す。
【００４５】
なお、本実施形態では、第１の種類の属性情報に基づき作成された複数のグループ（親グループ）各々を、第２の種類の属性情報に基づき複数の子グループに分けることができる。そして、第１の親グループの集計結果を、子グループ毎に分けて表示させることができる。
【００４６】
本実施形態の情報出力装置１０の機能ブロック図の一例は、第１の実施形態同様、図２で示される。データ取得部１１の構成は、第１の実施形態と同様である。
【００４７】
グループ化部１２は、第１の種類の属性情報に基づき複数の親グループを作成した後、第２の種類の属性情報に基づき親グループ毎に複数の子グループを作成する。グループ化部１２のその他の構成は、第１の実施形態と同様である。
【００４８】
例えば、グループ化部１２は、機器カテゴリ（第１の種類の属性情報）毎に分けて複数の親グループを作成した後、メーカー（第２の種類の属性情報）ごとに分けて複数の子グループを作成することができる。なお、第１の種類の属性情報及び第２の種類の属性情報の組み合わせはここで示したものに限定されない。
【００４９】
集計部１３は、子グループ毎に、時系列データを集計する。集計部１３のその他の構成は、第１の実施形態と同様である。
【００５０】
出力部１４は、子グループ毎に、集計結果を表示させる。出力部１４のその他の構成は、第１の実施形態と同様である。
【００５１】
図６に、出力部１４が表示させた集計結果の一例を模式的に示す。図６の例では、縦軸に消費電力をとり、横軸に時間をとり、消費電力の時間変化を積み上げグラフで表示している。なお、エアコンの消費電力の時間変化が、管理者ごとに分けて表示されている。
【００５２】
すなわち、図示する例の場合、機器カテゴリ（第１の種類の属性情報）に基づき複数の親グループを作成した後、各電気機器の管理者（第２の種類の属性情報）に基づき複数の子グループを作成している。そして、子グループ毎に集計結果（合計値の時系列データ）を算出し、集計結果を積み上げグラフで表示している。
【００５３】
以上説明した本実施形態によれば、第１の実施形態と同様な作用効果を実現できる。
【００５４】
また、本実施形態の場合、あるグループ（親グループ）を子グループに分け、子グループごとの集計結果を表示させることができる。このような本実施形態によれば、ユーザに提供する情報の見せ方のバリエーションが増える。結果、真にユーザが望む態様で監視対象の電気機器の稼動状態を提示することができる。
【００５５】
＜第３の実施形態＞
本実施形態は、集計の方法をユーザが指定できる点で、第１及び第２の実施形態と異なる。その他の構成は、第１及び第２の実施形態と同様である。
【００５６】
図７に、本実施形態の情報出力装置１０の機能ブロック図の一例を示す。図示するように、情報出力装置１０は、データ取得部１１と、グループ化部１２と、集計部１３と、出力部１４と、入力受付部１５とを有する。データ取得部１１、集計部１３及び出力部１４の構成は、第１及び第２の実施形態と同様である。
【００５７】
入力受付部１５は、電気機器をグループ化するルールを指定するユーザ入力を受付ける。グループ化部１２は、ユーザ入力で指定されたルールに従い、グループを作成する。
【００５８】
例えば、入力受付部１５は、１つの属性情報の種類を指定する入力を受付けてもよい。この場合、グループ化部１２は、指定された種類の属性情報が一致する電気機器どうしをまとめてグループを作成する。
【００５９】
その他、第２の実施形態の構成とする場合、入力受付部１５は、第１の種類の属性情報及び第２の種類の属性情報各々を指定する入力を受付けてもよい。この場合、グループ化部１２は、第１の種類の属性情報が一致する電気機器どうしをまとめて親グループを作成し、親グループ毎に第２の種類の属性情報が一致する電気機器どうしをまとめて子グループを作成する。当該例の場合、入力受付部１５は、さらに、集計結果を表示する１つの親グループを指定する入力を受付けてもよい。
【００６０】
入力受付部１５は、例えばドロップダウンリスト、ラジオボタン等のＧＵＩ（Graphical User Interface）部品を介して、上述のようなユーザ入力を受付けてもよい。図５及び図６に、ドロップダウンリストでユーザ入力を受付ける入力受付部１５の一例を示している。
【００６１】
以上説明した本実施形態によれば、第１及び第２の実施形態と同様な作用効果を実現できる。
【００６２】
また、本実施形態の場合、監視対象の電気機器の稼動状態の表示スタイルをユーザが選択することができる。例えば、機器カテゴリ毎の消費電力等の時間変化を確認したい場合、ユーザは、機器カテゴリに基づくグループ化を指定すればよい。結果、図５に示すような情報が表示される。
【００６３】
その他、エアコンの消費電力の時間変化を管理者ごとに分けて確認したい場合、ユーザは、第１の種類の属性情報として機器カテゴリを指定し、第２の種類の属性情報として管理者を指定し、表示させる親グループとしてエアコンを指定すればよい。結果、図６に示すような情報が表示される。
【００６４】
このように、本実施形態によれば、ユーザが希望する態様で監視対象の電気機器の稼動状態を表示させることができる。
【００６５】
＜第４の実施形態＞
本実施形態では、監視対象の電気機器各々の電気機器属性情報の少なくとも一部を、外部サーバから取得する点で、第１乃至第３の実施形態と異なる。その他の構成は、第１乃至第３の実施形態と同様である。
【００６６】
図８に、本実施形態の情報出力装置１０の機能ブロック図の一例を示す。図示するように、情報出力装置１０は、データ取得部１１と、グループ化部１２と、集計部１３と、出力部１４と、保持部１６と、更新部１７とを有する。なお、情報出力装置１０は、さらに、入力受付部１５を有してもよい。
【００６７】
データ取得部１１、集計部１３、出力部１４及び入力受付部１５の構成は、第１乃至第３の実施形態と同様である。
【００６８】
保持部１６は、監視対象の電気機器各々の電気機器属性情報を保持する。グループ化部１２は、保持部１６が保持する電気機器属性情報に基づき、監視対象の電気機器をグループ化する。
【００６９】
更新部１７は、監視対象の電気機器を識別するための識別情報を外部サーバに送信し、送信した識別情報に対応する属性情報を外部サーバから取得する。そして、更新部１７は、取得した属性情報に基づき電気機器属性情報を更新する。
【００７０】
当該処理で用いる識別情報としては、例えば、消費電力や電流の瞬時波形や、電力値電流値の時系列変動データなどの特徴を用いることができる。外部サーバにはこのような識別情報と属性情報が対応づけられたデータベースが存在し、このデータベースにある対応づけを用いて、測定した識別情報に属性情報を対応づけることができる。更新部１７は、測定センサから消費電力や電流の瞬時波形や、電力値電流値の時系列変動データなどの測定データを取得し、それを外部サーバに送信してもよい。
【００７１】
識別情報のその他の例として、電気機器の型番が考えられる。更新部１７は、監視対象の電気機器の型番を外部サーバに送信してもよい。そして、更新部１７は、機器カテゴリ、メーカー、価格帯及び発売年の中の少なくとも１つの属性情報を外部サーバから取得してもよい。例えば、ユーザが情報出力装置１０に電気機器の型番を入力してもよい。その他、更新部１７は、消費電力や電流の瞬時波形、電力値電流値の時系列変動データなどの特徴と、電気機器の型番とを対応付けた対応情報を保持しておいてもよい。そして、更新部１７は、測定センサから消費電力や電流の瞬時波形や、電力値電流値の時系列変動データなどの測定データを取得すると、当該測定データをキーとして上記対応情報を検索し、当該測定データに対応する型番を取得してもよい。
【００７２】
外部サーバは、電気機器の型番に、機器カテゴリ、メーカー、価格帯及び発売年の中の少なくとも１つを対応付けたデータベースにアクセス可能に構成されてもよい。そして、外部サーバは、型番とともに属性情報の要求を受信すると、当該データベースを検索してキー（型番）に対応付けられた属性情報を抽出し、返信してもよい。
【００７３】
なお、更新部１７は、監視対象の電気機器毎に一部の属性情報を指定するユーザ入力を受付けることができてもよい。例えば、更新部１７は、管理者、設置エリア、設置年の中の少なくとも１つの属性情報のユーザ入力を受付けてもよい。そして、更新部１７は、ユーザ入力に基づき、電気機器属性情報を更新してもよい。
【００７４】
以上説明した本実施形態によれば、情報出力装置１０は、監視対象の電気機器各々の属性情報を外部サーバから取得することができる。すなわち、電気機器をグループ化するために用いる属性情報を外部サーバから取得することができる。このため、電気機器各々の属性情報を入力し、登録するというユーザ作業の負担を軽減することができる。
【００７５】
＜第５の実施形態＞
本実施形態の情報出力装置１０は、以下で説明する測定手段が測定した機器毎時系列データを取得する。測定手段は、第１の測定手段及び第２の測定手段の少なくとも一方を有する。なお、情報出力装置１０は、測定手段を有してもよいし、有さなくてもよい。
【００７６】
第１の測定手段は、監視対象の電気機器各々に対応した複数の測定センサを有する。複数の測定センサ各々は、監視対象の電気機器各々の消費電流又は消費電力を測定可能な位置に設置される。第１の測定手段は、このような複数の測定センサを用いて、複数の監視対象の電気機器各々の消費電流の時系列データ又は消費電力の時系列データ（機器毎時系列データ）を測定することができる。例えば、第１の測定手段は、電気機器ごとにコンセントと接続する間に設けられたスマートタップなどにより消費電流や消費電力の時系列データを取得してもいい。
【００７７】
第２の測定手段は、複数の監視対象の電気機器全体の消費電流又は消費電力を示す全体時系列データと、複数の監視対象の電気機器が取り得る複数の稼働状態各々に稼働状態各々の特徴量を対応付けた教師データとに基づき、監視対象の電気機器各々の単位時間毎の消費電流又は消費電力を推定した結果（機器毎時系列データ）を算出する。
【００７８】
第２の測定手段は、測定センサを有する。測定センサは、監視対象の電気機器全体の消費電流又は消費電力を測定可能な位置に設置される。測定センサは、例えば分電盤に設置されてもよい。第２の測定手段は、このような測定センサから、監視対象の電気機器全体の消費電流又は消費電力を示す時系列な測定データ（瞬間波形データ：交流周波数に応じた波形データ）を取得する。
【００７９】
また、第２の測定手段は、上記時系列な測定データに対して所定の演算処理を行う第２の演算手段を有する。第２の演算手段は、上記時系列な測定データに基づき、監視対象の電気機器各々の稼働状態を推定する。推定処理は、あらゆる従来技術（例えば、特許文献１に開示された手段）を適用して実現できるが、以下一例を説明する。
【００８０】
例えば、第２の演算手段は、上記時系列な測定データの中の所定時間帯部分を処理対象とし、処理対象の瞬間波形データから所定の特徴量を抽出する。第２の演算手段は、処理対象とする時間帯をずらし、複数の処理対象から順に特徴量を抽出する。
【００８１】
抽出される特徴量は様々であり、例えば、消費電流の周波数強度・位相（高調波成分）、位相、消費電流の変化、平均値、ピーク値、実効値、波高率、波形率、電流変化の収束時間、通電時間、ピークの位置、電源電圧のピーク位置と消費電流のピーク位置との間の時間差、力率などであってもよい。なお、ここでの例示に限定されない。第２の演算手段は、１種類の特徴量を抽出してもよいし、複数種類の特徴量を抽出してもよい。
【００８２】
また、第２の演算手段には、図９に示すように、複数の監視対象の電気機器各々の特徴量が登録されている。図９では、監視対象の電気機器各々の通番と、各々の特徴量とが対応付けて登録されている。なお、電気機器の消費電力毎又は消費電流毎の特徴量が登録されてもよい。
【００８３】
第２の演算手段は、図９に示すような電気機器各々の特徴量に基づき、監視対象の電気機器全体が取り得る複数の稼働状態各々の特徴量を得る。監視対象の電気機器全体が取り得る稼働状態は、例えば、「通番０００１のみが稼働中」、「通番０００１と通番０００２が稼働中」等である。なお、各監視対象の電気機器の消費電力毎又は消費電流毎の特徴量が登録されている場合、監視対象の電気機器全体が取り得る稼働状態は、例えば、「通番０００１が○○Ｗで稼働中」、「通番０００１が××Ｗで稼働中」、「通番０００１が××Ｗで稼働中、通番０００２が△△Ｗで稼働中、かつ、通番０００３が□□Ｗで稼働中」等である。図９に示すような監視対象の電気機器各々の特徴量を足し合わせることで、上述のような監視対象の電気機器全体が取り得る稼働状態各々の特徴量を得ることができる。
【００８４】
このようにして、図１０に示すように、監視対象の電気機器全体が取り得る複数の稼働状態各々に稼働状態各々の特徴量を対応付けた教師データが得られる。図１０では、稼働状態ＩＤと、内容（各稼働状態の詳細）と、特徴量とが互いに対応付けられている。
【００８５】
第２の演算手段は、このような教師データを用いた機械学習により推定モデルを生成し、生成した推定モデルに全体時系列測定データから抽出した特徴量を入力することで、推定結果（監視対象電気機器全体の稼働状態）を得ることができる。推定モデルは、例えば、重回帰分析、ニューラルネットワーク、隠れマルコフモデル等を用いたものとできる。
【００８６】
上述のような推定処理により、各時間帯における電気機器の稼働状態（稼働中か否か、消費電力等）が推定される。結果、監視対象の電気機器毎に機器毎時系列データ（図３参照）が得られる。
【００８７】
なお、第２の測定手段の変形例として、複数の監視対象の電気機器を複数のグループに分け、グループ毎に、各グループに属する複数の監視対象の電気機器全体の消費電流又は消費電力を示す全体時系列データと、複数の監視対象の電気機器が取り得る複数の稼働状態各々に稼働状態各々の特徴量を対応付けた教師データとに基づき、監視対象の電気機器各々の単位時間毎の消費電流又は消費電力を推定した結果（機器毎時系列データ）を算出してもよい。この場合、測定センサは、例えば分電盤の分岐毎に設置されてもよいし、コンセント毎に設置されてもよいし、その他であってもよい。
【００８８】
以上説明した本実施形態によれば、第１乃至第４の実施形態と同様な作用効果を実現することができる。
【００８９】
＜第６の実施形態＞
図１１を用いて、第１乃至第５の実施形態で説明し情報出力装置１０の適用例を説明する。
【００９０】
電力需要家７は、測定センサ１と、情報収集装置２と、ルーター３と、ユーザ端末４とを管理する。
【００９１】
測定センサ１は、第５の実施形態で説明した測定手段（第１の測定手段、第２の測定手段）が備える１つ又は複数の測定センサである。
【００９２】
情報収集装置２は、測定センサ１が測定した測定データを取得する。情報収集装置２は、第５の実施形態で説明した第１の演算手段又は第２の演算手段を有してもよい。なお、情報収集装置２に代えて、サーバ５が、第５の実施形態で説明した第１の演算手段又は第２の演算手段を有してもよい。
【００９３】
情報収集装置２は、ルーター３及びネットワーク６を介して、サーバ５に所定の情報を送信する。例えば、情報収集装置２は、測定センサ１から取得した測定データや、第１の演算手段又は第２の演算手段による演算処理で得られたデータを、サーバ５に送信してもよい。
【００９４】
本実施形態の情報出力装置１０は、情報収集装置２又はサーバ５が備える。情報出力装置１０の出力部１４が出力する集計結果は、情報収集装置２又はユーザ端末４のディスプレイを介して出力される。
【００９５】
以上説明した本実施形態によれば、第１乃至第５の実施形態と同様な作用効果を実現できる。
【００９６】
以下、参考形態の例を付記する。
１．  電気機器に関する属性情報に基づいてグループを作成し、複数の前記電気機器の消費電流または消費電力の時系列データを前記グループごとに表示する手段を有する情報出力装置。
２．  １に記載の情報出力装置において、
複数の前記電気機器各々の消費電流又は消費電力の時系列データを取得するデータ取得手段と、
複数の前記電気機器各々に１種類又は複数種類の属性情報を対応付けた電気機器属性情報に基づいて前記電気機器のグループを作成するグループ化手段と、
前記グループ毎に、前記時系列データを集計する集計手段と、
前記グループ毎に、前記集計手段による集計結果を表示させる出力手段と、
を有する情報出力装置。
３．  ２に記載の情報出力装置において、
前記グループ化手段は、所定種類の前記属性情報が一致する前記電気機器どうしをまとめてグループを作成し、
前記出力手段は、複数の前記グループ各々の前記集計結果を一度に表示させる情報出力装置。
４．  ２又は３に記載の情報出力装置において、
前記電気機器属性情報は、前記属性情報として、前記電気機器各々の機器カテゴリを含む情報出力装置。
５．  ４に記載の情報出力装置において、
前記電気機器属性情報は、さらに、管理者、設置エリア、メーカー、価格帯、設置年、発売年、機器の型番、機器の個体識別番号、定格電力、消費電力の瞬時波形、消費電流の瞬時波形、電力値の時系列変動データ、及び、電流値の時系列変動データの中の少なくとも１つを含む情報出力装置。
６．  ２から５のいずれかに記載の情報出力装置において、
前記グループ化手段は、第１の種類の前記属性情報に基づき複数の親グループを作成した後、第２の種類の前記属性情報に基づき前記親グループ毎に複数の子グループを作成し、
前記集計手段は、前記子グループ毎に、前記時系列データを集計し、
前記出力手段は、前記子グループ毎に、前記集計結果を表示させる情報出力装置。
７．  ２から６のいずれかに記載の情報出力装置において、
前記電気機器をグループ化するルールを指定するユーザ入力を受付ける入力受付手段をさらに有し、
前記グループ化手段は、前記ユーザ入力で指定された前記ルールに従い、前記グループを作成する情報出力装置。
８．  ２から７のいずれかに記載の情報出力装置において、
複数の前記電気機器各々の前記時系列データは、複数のセンサを用いて測定されたデータである情報出力装置。
９．  ２から８のいずれかに記載の情報出力装置において、
前記電気機器属性情報を保持する保持手段と、
前記電気機器を識別するための識別情報を外部サーバに送信し、送信した前記識別情報に対応する前記属性情報を前記外部サーバから取得し、取得した前記属性情報に基づき前記電気機器属性情報を更新する更新手段と、
を有する情報出力装置。
１０．  電気機器に関する属性情報の入力を受付ける入力受付手段と、
前記属性情報に基づいてグループ化された前記電気機器の消費電流または消費電力の時系列データを前記グループごとに表示する出力手段と、
を有する情報出力装置。
１１．  １０に記載の情報出力装置において、
前記入力受付手段は、前記属性情報に基づいて作成された親グループに対応する第２の属性情報の入力を受付け、
前記出力手段は、前記第２の属性情報に基づいてグループ化された複数の子グループ毎に消費電流または消費電力の時系列データを表示する情報出力装置。
１２．  コンピュータが、
電気機器に関する属性情報に基づいてグループを作成し、複数の前記電気機器の消費電流または消費電力の時系列データを前記グループごとに表示する工程を実行する情報出力方法。
１２−２．  １２に記載の情報出力方法において、
前記コンピュータが、
複数の前記電気機器各々の消費電流又は消費電力の時系列データを取得するデータ取得工程と、
複数の前記電気機器各々に１種類又は複数種類の属性情報を対応付けた電気機器属性情報に基づいて前記電気機器のグループを作成するグループ化工程と、
前記グループ毎に、前記時系列データを集計する集計工程と、
前記グループ毎に、前記集計工程による集計結果を表示させる出力工程と、
を実行する情報出力方法。
１２−３．  １２−２に記載の情報出力方法において、
前記グループ化工程では、所定種類の前記属性情報が一致する前記電気機器どうしをまとめてグループを作成し、
前記出力工程では、複数の前記グループ各々の前記集計結果を一度に表示させる情報出力方法。
１２−４．  １２−２又は１２−３に記載の情報出力方法において、
前記電気機器属性情報は、前記属性情報として、前記電気機器各々の機器カテゴリを含む情報出力方法。
１２−５．  １２−４に記載の情報出力方法において、
前記電気機器属性情報は、さらに、管理者、設置エリア、メーカー、価格帯、設置年、発売年、機器の型番、機器の個体識別番号、定格電力、消費電力の瞬時波形、消費電流の瞬時波形、電力値の時系列変動データ、及び、電流値の時系列変動データの中の少なくとも１つを含む情報出力方法。
１２−６．  １２−２から１２−５のいずれかに記載の情報出力方法において、
前記グループ化工程では、第１の種類の前記属性情報に基づき複数の親グループを作成した後、第２の種類の前記属性情報に基づき前記親グループ毎に複数の子グループを作成し、
前記集計工程では、前記子グループ毎に、前記時系列データを集計し、
前記出力工程では、前記子グループ毎に、前記集計結果を表示させる情報出力方法。
１２−７．  １２−２から１２−６のいずれかに記載の情報出力方法において、
前記コンピュータが、前記電気機器をグループ化するルールを指定するユーザ入力を受付ける入力受付工程をさらに実行し、
前記グループ化工程では、前記ユーザ入力で指定された前記ルールに従い、前記グループを作成する情報出力方法。
１２−８．  １２−２から１２−７のいずれかに記載の情報出力方法において、
複数の前記電気機器各々の前記時系列データは、複数のセンサを用いて測定されたデータである情報出力方法。
１２−９．  １２−２から１２−８のいずれかに記載の情報出力方法において、
前記コンピュータが、前記電気機器属性情報を保持しておき、
前記電気機器を識別するための識別情報を外部サーバに送信し、送信した前記識別情報に対応する前記属性情報を前記外部サーバから取得し、取得した前記属性情報に基づき前記電気機器属性情報を更新する更新工程をさらに実行する情報出力方法。
１３．  コンピュータを、
電気機器に関する属性情報に基づいてグループを作成し、複数の前記電気機器の消費電流または消費電力の時系列データを前記グループごとに表示する手段として機能させるプログラム。
１３−２．  １３に記載のプログラムにおいて、
前記コンピュータを、
複数の前記電気機器各々の消費電流又は消費電力の時系列データを取得するデータ取得手段、
複数の前記電気機器各々に１種類又は複数種類の属性情報を対応付けた電気機器属性情報に基づいて前記電気機器のグループを作成するグループ化手段、
前記グループ毎に、前記時系列データを集計する集計手段、
前記グループ毎に、前記集計手段による集計結果を表示させる出力手段、
として機能させるプログラム。
１３−３．  １３−２に記載のプログラムにおいて、
前記グループ化手段は、所定種類の前記属性情報が一致する前記電気機器どうしをまとめてグループを作成し、
前記出力手段は、複数の前記グループ各々の前記集計結果を一度に表示させるプログラム。
１３−４．  １３−２又は１３−３に記載のプログラムにおいて、
前記電気機器属性情報は、前記属性情報として、前記電気機器各々の機器カテゴリを含むプログラム。
１３−５．  １３−４に記載のプログラムにおいて、
前記電気機器属性情報は、さらに、管理者、設置エリア、メーカー、価格帯、設置年、発売年、機器の型番、機器の個体識別番号、定格電力、消費電力の瞬時波形、消費電流の瞬時波形、電力値の時系列変動データ、及び、電流値の時系列変動データの中の少なくとも１つを含むプログラム。
１３−６．  １３−２から１３−５のいずれかに記載のプログラムにおいて、
前記グループ化手段は、第１の種類の前記属性情報に基づき複数の親グループを作成した後、第２の種類の前記属性情報に基づき前記親グループ毎に複数の子グループを作成し、
前記集計手段は、前記子グループ毎に、前記時系列データを集計し、
前記出力手段は、前記子グループ毎に、前記集計結果を表示させるプログラム。
１３−７．  １３−２から１３−６のいずれかに記載のプログラムにおいて、
前記コンピュータを、前記電気機器をグループ化するルールを指定するユーザ入力を受付ける入力受付手段としてさらに機能させ、
前記グループ化手段は、前記ユーザ入力で指定された前記ルールに従い、前記グループを作成するプログラム。
１３−８．  １３−２から１３−７のいずれかに記載のプログラムにおいて、
複数の前記電気機器各々の前記時系列データは、複数のセンサを用いて測定されたデータであるプログラム。
１３−９．  １３−２から１３−８のいずれかに記載のプログラムにおいて、
前記コンピュータを、
前記電気機器属性情報を保持する保持手段、
前記電気機器を識別するための識別情報を外部サーバに送信し、送信した前記識別情報に対応する前記属性情報を前記外部サーバから取得し、取得した前記属性情報に基づき前記電気機器属性情報を更新する更新手段、
として機能させるプログラム。
１４．  コンピュータが、
電気機器に関する属性情報の入力を受付ける入力受付工程と、
前記属性情報に基づいてグループ化された前記電気機器の消費電流または消費電力の時系列データを前記グループごとに表示する出力工程と、
を実行する情報出力方法。
１４−２．  １４に記載の情報出力方法において、
前記入力受付工程では、前記属性情報に基づいて作成された親グループに対応する第２の属性情報の入力を受付け、
前記出力工程では、前記第２の属性情報に基づいてグループ化された複数の子グループ毎に消費電流または消費電力の時系列データを表示する情報出力方法。
１５．  コンピュータを、
電気機器に関する属性情報の入力を受付ける入力受付手段、
前記属性情報に基づいてグループ化された前記電気機器の消費電流または消費電力の時系列データを前記グループごとに表示する出力手段、
として機能させるプログラム。
１５−２．  １５に記載のプログラムにおいて、
前記入力受付手段は、前記属性情報に基づいて作成された親グループに対応する第２の属性情報の入力を受付け、
前記出力手段は、前記第２の属性情報に基づいてグループ化された複数の子グループ毎に消費電流または消費電力の時系列データを表示するプログラム。
【００９７】
この出願は、２０１５年９月３日に出願された日本出願特願２０１５−１７３６７２号を基礎とする優先権を主張し、その開示の全てをここに取り込む。
【図１】
2017038364.tif 000003
【図２】
2017038364.tif 000004
【図３】
2017038364.tif 000005
【図４】
2017038364.tif 000006
【図５】
2017038364.tif 000007
【図６】
2017038364.tif 000008
【図７】
2017038364.tif 000009
【図８】
2017038364.tif 000010
【図９】
2017038364.tif 000011
【図１０】
2017038364.tif 000012
【図１１】
2017038364.tif 000013
【国際調査報告】
2017038364.tif 000014
2017038364.tif 000015
2017038364.tif 000016
2017038364.tif 000017